(57)【要約】ディスクの再生や再生に用いるディスクドライブに制限を与え、例えば、レンタルディスクの再生に対して制約を加え、野放図なコピーを防止し得るディスク／ディスクドライブ管理方式を提供する。  光情報が書き込まれている記憶領域と電子回路１１が搭載されているディスクの記録領域には、当該ディスク固有に割り当てられた任意の複数のコード情報が記憶され、ディスクのディスクドライブ１への挿入、セット時に上記複数のコードを読み込み、電子回路１１のコードメモリ１１４に書き込み、ディスクドライブ１に設けられたメモリ１４及び／又は電子回路１１に設けられた管理メモリ１１５に複数のコード情報のうち未使用のコード情報を書き込む。メモリ１４や管理メモリ１１５に書き込まれている情報に基づいてディスクの再生や利用されるディスクドライブを管理する。【特許請求の範囲】
【請求項１】
光情報が書き込まれている記憶領域と電子回路が搭載されているディスクの記録領域には、当該ディスク固有に割り当てられた任意の複数のコードが記憶され、
前記ディスクのディスクドライブへの挿入、セット時に前記ディスクの前記複数のコードを読み込み、前記電子回路のコードメモリに書き込むとともに、前記ディスクドライブに設けられた一のメモリ及び／又は前記電子回路に設けられた管理メモリに前記複数のコード情報のうちの一つを書き込み、
前記一のメモリ及び／又は前記管理メモリに書き込まれているコード情報に基づいて前記ディスクドライブによるディスクの再生を制御することを特徴とするディスク／ディスクドライブ管理方式。
【請求項２】
前記書き込まれるコード情報は、未使用のコード情報であることを特徴とする請求項１に記載のディスク／ディスクドライブ管理方式。
【請求項３】
前記電子回路は、前記一のメモリ及び／又は管理メモリに書き込まれているコード情報を読み出し、前記ディスクの再生を制御する管理部を有することを特徴とする請求項１又は２に記載のディスク／ディスクドライブ管理方式。
【請求項４】
前記一のメモリ及び／又は管理メモリに書き込まれるコード情報は、前記ディスクの前記ディスクドライブへの挿入、セット時毎に未使用のコード情報であることを特徴とする請求項１乃至３のいずれかに記載のディスク／ディスクドライブ管理方式。
【請求項５】
前記ディスク／ディスクドライブの管理は、前記ディスクの再生回数、利用できるディスクドライブの台数及び利用ユーザの少なくとも一つを含むことを特徴とする請求項１乃至４のいずれかに記載のディスク／ディスクドライブ管理方式。
【請求項６】
前記ディスクの電子回路は、ＲＦＩＤで構成されていることを特徴とする請求項１乃至５のいずれかに記載のディスク／ディスクドライブ管理方式。
【請求項７】
前記ディスクのコードは、当該ディスクの種類等を表すコードを含むことを特徴とする請求項１乃至６のいずれかに記載のディスク／ディスクドライブ管理方式。
【請求項８】
前記ディスクドライブはパソコンと接続され、所定のデータ授受が行われることを特徴とする請求項１乃至７のいずれかに記載のディスク／ディスクドライブ管理方式。
【請求項９】
一面に音楽情報、映像情報、プログラム情報等のデータが書き込まれたＲＯＭ領域と、任意のデータの書き込みが可能なＲＡＭ領域の少なくとも一方を有するとともにＣＰＵ機能を有する電子回路を有し、当該ディスク固有に割り当てられた任意の複数のコードが記憶されているディスクを回転駆動して記憶データの読み出し／書き込みを制御するディスクドライブ部と、
前記電子回路における処理データを外部装置との間で授受するための前記ディスクに搭載されたインタフェース部と、
前記インタフェース部を介して前記電子回路と外部装置との間でデータの授受を行うための信号授受部と、
前記ディスクドライブに接続され、所定の演算処理を実行する演算装置と、
を備え、前記ディスクのディスクドライブへの挿入、セット時に前記ディスクの前記複数のコードを読み込み、前記電子回路のコードメモリに書き込むとともに、前記ディスクドライブに設けられた一のメモリ及び／又は前記電子回路に設けられた管理メモリに前記複数のコード情報のうちの一つを書き込み、
前記一のメモリに書き込まれているコード情報に基づいて前記ディスク／ディスクドライブの再生を制御することを特徴とするディスク／ディスクドライブ管理方式。
【請求項１０】
前記書き込まれるコード情報は、未使用のコード情報であることを特徴とする請求項９に記載のディスク／ディスクドライブ管理方式。
【請求項１１】
システムの起動、動作を許可されたユーザのみに限定するための生体認証装置が前記演算装置に接続され、前記システムの起動を制限することを特徴とする請求項９に記載のディスク／ディスクドライブ管理方式。
【請求項１２】
システムの起動、動作を許可されたユーザのみに限定するための生体認証装置が前記ディスクドライブに接続され、前記システムの起動を制限することを特徴とする請求項９に記載のディスク／ディスクドライブ管理方式。
【請求項１３】
前記生体認証装置は、指紋認証、顔認証、声紋認証、瞳の虹彩認証のうち少なくともいずれか一つに基づくものであることを特徴とする請求項１１又は１２に記載のディスク／ディスクドライブ管理方式。
【請求項１４】
前記電子回路は、ＲＦＩＤ部である請求項９乃至１３のいずれかに記載のディスク／ディスクドライブ管理方式。
【請求項１５】
前記電子回路と外部の演算装置との信号の授受は、ケーブルを介して行われることを特徴とする請求項９に記載のディスク／ディスクドライブ管理方式。
【請求項１６】
前記電子回路と演算装置との信号の授受は、前記インタフェース部を介して行われることを特徴とする請求項９に記載のディスク／ディスクドライブ管理方式。
【請求項１７】
前記インタフェース部を介しての前記電子回路とのデータ授受は無線で行われることを特徴とする請求項９乃至１６のいずれかに記載のディスク／ディスクドライブ管理方式。
【請求項１８】
前記ディスクは、光ディスクであることを特徴とする請求項１乃至１７のいずれかに記載のディスク／ディスクドライブ管理方式。
【発明の詳細な説明】
【技術分野】  本発明はコンテンツ管理システムに関し、ディスクに格納されているコンテンツの再生、利用の制限を確実に行うディスク／ディスクドライブ管理方式に関する。
【背景技術】  ＣＤやＤＶＤ等の大容量記憶媒体の出現に伴って音楽、映画、ゲームソフト等のコンテンツデータをこれら記憶媒体に格納するのが一般的になっている。ＣＤやＤＶＤでは、音楽や映像は特殊なフォーマットで記録されているため、コンピュータなどを用いて単純なデータコピーを行っただけでは、コピーしたデータから音楽や映像の再生を行うことはできない。
一方、これら記憶媒体に格納されているコンテンツが上記のような特殊なフォーマット処理が施されていない場合、格別な認証手段が設けられていない限り無制限にコピー可能で、著作権管理という観点からは大きな問題となっている。
また、特殊なフォーマット処理が施されていてもコピー防止が万全であるわけではない。すなわち、現在、ＣＤ−Ｒ（ｒｅｃｏｒｄａｂｌｅ）、ＣＤ−ＲＷ（ｒｅｗｒｉｔａｂｌｅ）、ＤＶＤ−Ｒ、ＤＶＤ−ＲＷ、ＤＶＤ−ＲＡＭ（Ｒａｎｄｏｍ  Ａｃｃｅｓｓ  Ｍｅｍｏｒｙ）等、各種の記憶媒体にデータ書込みを行うドライブ装置が広く普及してきており、また、特殊ソフトウェアを用いることによりＣＤやＤＶＤ等のディスクデータを、同様の記憶媒体にそのまま不正コピーして、汎用再生装置で再生することも可能である。
かかるディスクの不正コピーを防止する技術としては、暗号化、コピープロテクト信号や認証情報の挿入、誤り訂正等、種々提案されている。例えば、特許文献１乃至４に開示されている。
【特許文献１】特開２００２−９２８９４公報（〔００１６〕〜〔００２６〕、図１）
【特許文献２】特開２００４−４６８５９公報（〔００２１〕〜〔００２７〕、図２）
【特許文献３】特開２００３−７７２１８公報（〔００１４〕〜〔００１７〕、図１）
【特許文献４】特開２００４−１２７４４８公報（〔００１２〕〜〔００１６〕、図１）
【発明の開示】
しかしながら、コピープロテクト信号や認証信号の挿入技術では、プロテクトのための特殊な信号処理が必要であったり、認証機関が必要となる。また、暗号化信号を復号化するには復号情報が必要となり、システムが複雑化する。誤り訂正についても確実かつ安全を保障するものではない。
更に、ディスクをレンタルする場合、借りた顧客は、又貸しすることも多く、ディスクレンタルビジネスの本来の利益が奪われていることも多い。
そこで、本発明の目的は、ディスクの再生や再生に用いるディスクドライブに制限を与えることが容易に可能となるディスク／ディスクドライブ管理方式を提供することにある。
本発明の他の目的は、レンタルされたディスクの再生に対して制約を加え、野放図なコピーを防止し、又は実際の制約は与えずとも、制約を超えた利用に対しては追加的に追徴等の対策を可能とするディスク／ディスクドライブ管理方式を提供することにある。
前述の課題を解決するため、本発明によるディスク／ディスクドライブ管理方式は、次のような特徴的な構成を採用している。
（１）光情報が書き込まれている記憶領域と電子回路が搭載されているディスクの記録領域には、当該ディスク固有に割り当てられた任意の複数のコードが記憶され、
前記ディスクのディスクドライブへの挿入、セット時に前記ディスクの前記複数のコードを読み込み、前記電子回路のコードメモリに書き込むとともに、前記ディスクドライブに設けられた一のメモリ及び／又は前記電子回路に設けられた管理メモリに前記複数のコード情報のうちの一つを書き込み、
前記一のメモリ及び／又は前記管理メモリに書き込まれているコード情報に基づいて前記ディスクドライブによるディスクの再生を制御するディスク／ディスクドライブ管理方式。
（２）前記書き込まれるコード情報は、未使用のコード情報である上記（１）のディスク／ディスクドライブ管理方式。
（３）前記電子回路は、前記一のメモリ及び／又は管理メモリに書き込まれているコード情報を読み出し、前記ディスクの再生を制御する管理部を有する上記（１）又は（２）のディスク／ディスクドライブ管理方式。
（４）前記一のメモリ及び／又は管理メモリに書き込まれるコード情報は、前記ディスクの前記ディスクドライブへの挿入、セット時毎に未使用のコード情報である上記（１）乃至（３）のいずれかのディスク／ディスクドライブ管理方式。
（５）前記ディスク／ディスクドライブの管理は、前記ディスクの再生回数、利用できるディスクドライブの台数及び利用ユーザの少なくとも一つを含む上記（１）乃至（４）のいずれかのディスク／ディスクドライブ管理方式。
（６）前記ディスクの電子回路は、ＲＦＩＤで構成されている上記（１）乃至（５）のいずれかのディスク／ディスクドライブ管理方式。
（７）前記ディスクのコードは、当該ディスクの種類等を表すコードを含む上記（１）乃至（６）のいずれかのディスク／ディスクドライブ管理方式。
（８）前記ディスクドライブはパソコンと接続され、所定のデータ授受が行われる上記（１）乃至（７）のいずれかのディスク／ディスクドライブ管理方式。
（９）一面に音楽情報、映像情報、プログラム情報等のデータが書き込まれたＲＯＭ領域と、任意のデータの書き込みが可能なＲＡＭ領域の少なくとも一方を有するとともにＣＰＵ機能を有する電子回路を有し、当該ディスク固有に割り当てられた任意の複数のコードが記憶されているディスクを回転駆動して記憶データの読み出し／書き込みを制御するディスクドライブ部と、
前記電子回路における処理データを外部装置との間で授受するための前記ディスクに搭載されたインタフェース部と、
前記インタフェース部を介して前記電子回路と外部装置との間でデータの授受を行うための信号授受部と、
前記ディスクドライブに接続され、所定の演算処理を実行する演算装置と、
を備え、前記ディスクのディスクドライブへの挿入、セット時に前記ディスクの前記複数のコードを読み込み、前記電子回路のコードメモリに書き込むとともに、前記ディスクドライブに設けられた一のメモリ及び／又は前記電子回路に設けられた管理メモリに前記複数のコード情報のうちの一つを書き込み、
前記一のメモリに書き込まれているコード情報に基づいて前記ディスク／ディスクドライブの再生を制御するディスク／ディスクドライブ管理方式。
（１０）前記書き込まれるコード情報は、未使用のコード情報である上記（９）のディスク／ディスクドライブ管理方式。
（１１）システムの起動、動作を許可されたユーザのみに限定するための生体認証装置が前記演算装置に接続され、前記システムの起動を制限する上記（９）のディスク／ディスクドライブ管理方式。
（１２）システムの起動、動作を許可されたユーザのみに限定するための生体認証装置が前記ディスクドライブに接続され、前記システムの起動を制限する上記（９）のディスク／ディスクドライブ管理方式。
（１３）前記生体認証装置は、指紋認証、顔認証、声紋認証、瞳の虹彩認証のうち少なくともいずれか一つに基づくものである上記（１１）又は（１２）のディスク／ディスクドライブ管理方式。
（１４）前記電子回路は、ＲＦＩＤ部である上記（９）乃至（１３）のいずれかのディスク／ディスクドライブ管理方式。
（１５）前記電子回路と外部の演算装置との信号の授受は、ケーブルを介して行われる上記（９）のディスク／ディスクドライブ管理方式。
（１６）前記電子回路と演算装置との信号の授受は、前記インタフェース部を介して行われる上記（９）のディスク／ディスクドライブ管理方式。
（１７）前記インタフェース部を介しての前記電子回路とのデータ授受は無線で行われる上記（９）乃至（１６）のいずれかのディスク／ディスクドライブ管理方式。
（１８）前記ディスクは、光ディスクである上記（１）乃至（１７）のいずれかのディスク／ディスクドライブ管理方式。
発明の効果
本発明によれば、ディスクの再生回数、再生に用いた駆動装置（ディスクドライブ装置）の特定、用い得る駆動装置の数、ユーザ管理、ディスクの再生履歴の管理等が可能となるので、ディスクの利用制限を任意の形で行うことができるという効果が得られる。
【図面の簡単な説明】  第１図は本発明によるディスク／ディスクドライブ管理方式の基本システム構成図である。
第２図は本発明の実施例における電子回路に記憶されているコード情報（Ａ）と、複数のディスクドライブ内のメモリに書き込まれているコード情報（Ｂ）の例を示す図である。
第３図は本発明によるディスク／ディスクドライブ管理方式の動作の一例を説明するためのフローチャートである。
第４図は本発明の他の実施例を示すシステム構成図である。
第５図は本発明の更に他の実施例を示すシステム構成図である。
第６図は本発明の他の実施例を示すシステム構成図である。
【発明を実施するための最良の形態】  以下、本発明によるディスク／ディスクドライブ管理方式の好適実施例の構成および動作を、添付図面を参照して詳細に説明する。
本発明は、ＣＰＵ機能としての電子回路を搭載した光ディスクを利用したものである。しかし、光ディスクに限らず任意のディスクを用いることができることは勿論である。
図１は、本発明によるディスク／ディスクドライブ管理方式の基本システム構成図である。以下の説明では、ディスクとして光ディスクを用いる例を示す。本システムにおいては、ディスクドライブ１により光ディスクを回転させて光ディスクからコンテンツデータを読み出したり、データを書き込んだりする。光ディスクの一面に設けられたデータ記憶部にはコンテンツ等の光データが記憶されている。光ディスクのデータ記憶部が形成されている面とは反対面には所定の信号処理を実行する電子回路（ＣＰＵ）１１が搭載されている。電子回路１１には、受発信部１１１、信号処理部１１２、管理部１１３、コードメモリ１１４、管理メモリ１１５が備えられている。また、電子回路１１での信号処理結果や外部からの情報は、例えば、無線信号としてディスクドライブの無線部（受発信部）１１１を介して外部回路との間で送出／受信される。
図１を参照すると、ディスクドライブ装置１には光ディスクを挿入する挿入口が設けられ、挿入された光ディスクは所定速度で回転され、光ピックアップから光ディスク表面に向けてレーザ光を照射し、その反射光を光ピックアップを介して検出することにより光学的に記録されているデータを読み出す。また、光ピックアップからレーザ光を照射してデータを書き込む。
ディスクドライブ１は、光ディスクを回転駆動するための駆動部１３とメモリ１４を備える。光ディスクは、その一面は音楽情報、映像情報、プログラム情報等のデータが書き込まれたＲＯＭ領域と、任意のデータの書込みが可能なＲＡＭ領域を有する光データ記憶部１２を備え、他面はＣＰＵ機能を有する電子回路１１を備える。電子回路１１は、例えばＲＦＩＤ（Ｒａｄｉｏ  Ｆｒｅｑｕｅｎｃｙ  Ｉｄｅｎｔｉｆｉｃａｔｉｏｎ）部として形成することができる。勿論、電子回路１１は上記一面に設けることができる。
ＲＦＩＤ部は、一般に、電磁波を使った非接触通信を可能とするもので、半導体メモリ（ＩＣチップ）内のデータを非接触の状態で通信（読み書き）可能とし、ＲＦＩＤ部は、通常、ＩＣチップとそれに接続したコイル状のアンテナから構成される。
受発信装置２は、リーダ／ライタ機能を有し、上記光ディスク面に配設された電子回路１１としてのＲＦＩＤ部のＩＣチップ内の受発信部１１１との間で無線通信によりデータ授受を行う。受発信装置２と、電子回路１１の受発信部１１１との間のデータ通信は、例えば１０６ｋｂｐｓによって行われる。
電子回路１１（ＲＦＩＤ部）内のアンテナ（受発信部１１１）が受発信装置２からの電波を受信すると、例えば、共振作用により起電力が発生（電磁誘導等）し、この起電力を電源整流部で整流して電子回路１１の電源として用いる。この電源によりＲＦＩＤ部内のＩＣチップが起動される。電源供給は、かかる構成に限定されるものではないことは勿論である。
演算装置３は、例えばパソコンであり、ＯＳ等の基本情報が格納されているＲＯＭ部（蓄積部）３１、書換可能な記憶部としてのＲＡＭ部３２、ＣＰＵ等の演算処理部３３、液晶等の表示部３４を備え、ディスクドライブ１との間でデータ授受を行い、所望の信号処理を行う。
生体認証装置４は、本システムの起動、動作を許可されたユーザのみに限定するためのもので、指紋認証、顔認証、声紋認証、瞳の虹彩認証等の生体系パラメータが考えられる。パソコン（演算装置）３の起動時、生体認証装置４の、例えば、指紋認証のための指紋読取部にユーザは所定の指を接触させて光学的に読み取り、予め記憶、登録されているユーザの指紋と照合し、両者が一致したときのみ使用を許可する。
さて、以上のような構成のシステムにおいて、本実施例では、光ディスクの記憶部（ＲＯＭ領域）に当該光ディスク固有に割り当てられた任意のコード（本実施例では、Ａ０００〜Ａ９９９の連続番号）が記憶されている。このコードはランダムコードとすることができる。コードの先頭にあるヘッダ部は、光ディスクの種類等を表し、Ａ，Ｂ、Ｃ、．．．が付与され、音楽のテーマ、映画のタイトル等を特定するために用いられる。
光ディスクがディスクドライブ１の光ディスク挿入口に挿入されると、光ディスクからデータが読み出される。先ず、ディスクドライブ１に光ディスクのＲＯＭ領域からコード情報が読み込まれ、電子回路１１のコードメモリ１１４に書き込まれる初期処理が実行される。
当該ディスクドライブ１は、光ディスクが挿入されると、電子回路１１のコードメモリ１１４に記憶されているコードの任意の一つを、ディスクドライブ１内蔵のメモリ１４に当該コードを書き込む。この書き込まれるコードは、本実施例では、Ａ００１〜Ａ９９９のうちＡ００１から１ずつインクリメントされるコードとし、一度使われたコードは二度と使われないように排他的に使用される。また、コード：Ａ００１〜Ａ９９９の“９９９”が意味するところは、９９９回までは当該光ディスクのディスクドライブへの挿入、駆動、再生が可能であることである。したがって、同一のディスクドライブを用いて当該光ディスクを９９９回再生できることになる。逆に言えば、当該光ディスクの許容再生回数は９９９回であることを意味する。前述の如く、コードは任意であり、ランダムとすることができる。管理メモリ１１５には、後述の如く、当該光ディスクの再生回数、コード情報、ユーザ情報、使用されている／使用されたディスクドライブ情報が記憶される。
さて、本実施例においては、電子回路１１側に管理部１１３を設けておき、コードメモリ１１４、管理メモリ１１５又はディスクドライブ１のメモリ１４に記憶されている情報に基づいて当該光ディスクの使用（再生）回数（ディスクドライブへの挿入、セット回数）やディスクドライブの同一性の認識等を行う。
すなわち、光ディスクのディスクドライブ１への挿入、セット時に電子回路１１のコードメモリ１１４に書き込まれるコードの数値、例えば書き込まれるコードがＡ２３１であれば、当該光ディスクは２３１回目のディスクドライブへの挿入、セットであることが判別される。したがって、９９９回目までは挿入、セットは可能であるがそれ以上の回数の再生は不可とするような制御を行って、光ディスクの使用回数の制限を設定することができる。かかる制御は、例えば、管理部１１３により行われる。
また、ディスクドライブ１側のメモリ１４には、当該光ディスクの挿入、セット毎に最新のコードが書き込まれるので、管理部１１３は、コードメモリ１１４に書き込まれているコード情報を参照すれば、これから使用するディスクドライブが過去に当該光ディスクを利用したことがあるか否かを判断することが可能となる。したがって、管理部１１３は、ディスクドライブ１側のメモリ１４や管理メモリ１１５に記憶されているコード情報の中に当該光ディスクのコードに割り当てられているコード情報が含まれているか否かを判断し、含まれていれば、過去に当該光ディスクの挿入、セットされた実績があることが判断でき、含まれていなければ当該光ディスクの使用は初めてのディスクドライブであると判断できる。また、コードメモリ１１４に書き込まれているコードの数を参照して当該光ディスクの利用、再生回数が判断できる。
管理部１１３は、電子回路１１に含まれているので、光ディスク自体で当該光ディスクの利用実績、履歴を管理することができる。
また、電子回路１１に記憶されているコードメモリ１１４の記憶内容の修正や消去を、特別の操作により可能とすれば更なる利用範囲の拡張が可能となる。
例えば、レンタル用の光ディスクの場合、当該光ディスクの利用ユーザ、利用回数、利用可能ディスクドライブの数等に制限を与え、この制限を越える利用に対しては拒否するように構成させることができ、又は制限を超える利用を許容する代わりに超えた範囲については追加徴収を行うことができる。
すなわち、光ディスクのレンタル店での貸し出し時に、当該光ディスクの利用ユーザ、利用回数、利用可能ディスクドライブの数等に制限を与えるべく、上記コードを書き込んでおくことによりレンタルした顧客による又貸しを制限、利用可能なディスクドライブを制限（台数や特定装置）することができる。また、上記制限を越えた利用も可能としておき、制限を越えた利用に対しては追加料金を徴収するようにすれば、より効率的なビジネス展開が可能となる。
図２には、本発明の実施例の動作を説明するための電子回路１１に記憶されている記憶内容としてのコード情報（Ａ）と、複数のディスクドライブ（１台目、２台目、３台目、４台目、５台目．．．のディスクドライブ）内のメモリ１４に書き込まれているコード情報（Ｂ）の例を示す。
さて、上述実施例における光ディスクの電子回路１１のコードメモリ１１４には、光ディスクを最初にディスクドライブに挿入、セットされたときに光ディスクのＲＯＭ領域に書き込まれているコード情報が書き込まれる。
図２（Ａ）には電子回路のコードメモリ１１４に記憶されているコード情報が示され、ディスクの種類毎に定めたヘッダＡに続いて３桁の数字情報００１〜９９９が記憶される。
次に、当該光ディスクの１回目の再生のために第１のディスクドライブに挿入、セットすると、電子回路１１のコードメモリ１１４に書き込まれているコード情報から、最初のコード情報Ａ００１がディスクドライブ１のメモリ１４に書き込まれる。光ディスクを当該ディスクドライブで再生した後、停止して取り出し、再度（２回目の再生）同一のディスクドライブで再生するために当該光ディスクを挿入、セットすると、電子回路１１のコードメモリ１１４に書き込まれているコード情報のうちＡ００１に続くコード情報Ａ００２が読み出されて当該ディスクドライブのメモリ１４に書き込まれる。
次に、３回目の再生のために、他の第２のディスクドライブで当該光ディスクを再生しようとして当該光ディスクを挿入、セットすると、電子回路１１のコードメモリ１１４から次のコード情報Ａ００３が読み出されて第２のディスクドライブのメモリに書き込まれる。図示の如く、ディスクドライブでの当該光ディスクの４回目〜１０回目の再生を第２のディスクドライブで行ったとすると第２のディスクドライブのメモリには、コード情報Ａ００４〜Ａ０１０が書き込まれる。
続いて、１１回目の再生のために、第３のディスクドライブを用いると、電子回路１１のコードメモリ１１４から更に次のコード情報Ａ０１１が読み出されて第３のディスクドライブのメモリ１４に書き込まれる。以降、２０回目の再生のために同じ第３のディスクドライブを用いたとき、そのメモリ１４にはコード情報Ａ０１１〜Ａ０２０が書き込まれる。これらの情報は、電子回路１１の管理メモリ１１５にも書き込まれ、光ディスク側からの管理が可能となる。
図２からも明らかなように、各ディスクドライブのメモリ１４または電子回路１１の管理メモリ１１５に書き込まれているコード情報の内容を参照すれば、光ディスクの再生の履歴が明らかになる。したがって、管理部１１３で電子回路１１のコードメモリ１１４の記憶内容（Ａ）と各ディスクドライブのメモリの記憶内容（Ｂ）を参照すれば、当該光ディスクの再生回数を制限することもできるし、再生のために用いるディスクドライブの台数を制限することもできる。
次に本発明の具体的動作の一例を示すフローチャートを参照しながら説明する。
演算装置（パソコン）３とディスクドライブ１の電源をＯＮとし（ステップＳ１）、光ディスクをディスクドライブ１に挿入すると（ステップＳ２）、先ず、当該光ディスクを再生するために使用されたディスクドライブの数が許容されている最大台数Ｍｍａｘを超えているかどうかと、当該光ディスクを再生しようとする回数が許容されている再生回数Ｎｍａｘを超えているかどうかが判断される（ステップＳ３、Ｓ４）。この判断の順番はいずれでも良い。すなわち、ステップＳ３では、管理メモリ１１５に記憶されている情報に基づいて、過去に使用したディスクドライブの台数Ｍを判別し、ＭがＭｍａｘを超えている否かを判断する。また、ステップＳ４では、管理メモリ１１５に記憶されている情報（例えば、使用されたコードの数）Ｎを参照して、Ｎが許容最大再生回数Ｎｍａｘを超えている否かを判断する。ステップＳ３とＳ４において、許容最大ディスクドライブ台数Ｍｍａｘを超えている場合や、許容最大光ディスク再生回数Ｎｍａｘを超えている（ＹＥＳ）場合には、当該光ディスクの再生を不能とするような動作を行わせる。
ステップＳ３とＳ４において、いずれもＮＯであれば、その後、電子回路１１のコードメモリ１１４に当該光ディスクのコード情報が記憶されているか否かが判断される（ステップＳ５）。ステップＳ５において、コードメモリ１１４に当該光ディスクのコード情報が記憶されていなければ、当該光ディスクのコード情報がコードメモリ１１４に書き込まれる（ステップＳ６）。
ステップＳ５においてコードメモリ１１４に当該光ディスクのコード情報が記憶されている場合に、またはステップＳ６の処理後に、コードメモリ１１４に記憶されているコード情報のうち未使用のコード情報をディスクドライブのメモリ１４に書き込む（ステップＳ７）。また、このコード情報は、電子回路１１の管理メモリ１１５にも記憶しておけば更なる有効な管理が可能となる。更に、生体認証装置４で認証されたユーザ情報を管理メモリ１１５に記憶させておくこともできる。
こうして、光ディスク再生の前処理を実行した後、当該光ディスクはディスクドライブにより通常の再生が行われる（ステップＳ８）。
当該光ディスクの再生が終了すると、光ディスクはディスクドライブから取り出される。その後、次に当該光ディスクを再生すべく、ディスクドライブに挿入されると、上述ステップＳ２の処理に移行する。
以上の動作処理は、光ディスク再生許容回数と、再生を許容されるディスクドライブの数について制約を与える実施例について説明したが、管理メモリに所要の情報を記憶しておけば、各種管理態様を得ることができる。例えば、当該光ディスクの再生を許容されるユーザについて制約を課すことができる。また、上記制約を与えつつ、それ以上の使用、利用（再生）を可能とし、制約を超えた利用。（ドライブ数、再生回数、ユーザ数等）を管理メモリ１１５に記憶しておいて、制約を超えた利用に対しては追加料金を徴収するようにすることもできる。このようなシステムはレンタルショップにおいて有効である。
図４は、本発明の他の実施例を示すシステム構成図である。本実施例の基本構成は図１と同様であるが、図１のシステムとはパソコン３とディスクドライブ１間の信号の授受の面で相違点がある。図１では、信号の授受をケーブルを介して行われているが、図４に示す実施例では、光ディスクに搭載されている電子回路１１の受発信部１１１とリーダ／ライタ機能を有する受発信装置２との間で行われる。このように、両者間の無線通信をより高速通信で行うことができれば動画信号の授受も、このシステムで可能となる。
図５は、本発明の更に他の実施例を示すシステム構成図である。本実施例の基本構成は図１と同様であり、生体認証装置４による認証をディスクドライブ側で行うためのシステムである。
図６は、本発明の他の実施例を示すシステム構成図である。本実施例の基本構成は図４と同様であり、生体認証装置４による認証をディスクドライブ側で行うためのシステムである。
以上、本発明によるディスク／ディスクドライブ管理方式の好適実施例の構成および動作を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【図１】
2006006543.tif 000002
【図２】
2006006543.tif 000003
【図３】
2006006543.tif 000004
【図４】
2006006543.tif 000005
【図５】
2006006543.tif 000006
【図６】
2006006543.tif 000007
【国際調査報告】
2006006543.tif 000008
2006006543.tif 000009
2006006543.tif 000010
2006006543.tif 000011